(57)【要約】【課題】  信頼性が改善されたスライドレールアセンブリを提供すること。【解決手段】  スライドレールアセンブリは第１のレール、第２のレール及び第３のレールを含む。第２のレールは第１のレールと第３のレールとの間で可動に取り付けられる。スライドレールアセンブリは摺動補助装置及びギアをさらに含む。摺動補助装置は第２のレールと第３のレールとの間に配置される。ギアは摺動補助装置に配置され、第２のレールと第３のレールとの間で噛合するように構成されている。【選択図】  図４
2020179142.tif 000002
【特許請求の範囲】
【請求項１】
第１のレールと、
前記第１のレールに対して可動な第２のレールであって、該第２のレールは第１の機能部材を有する、第２のレールと、
前記第２のレールに対して可動な第３のレールであって、該第３のレールは第２の機能部材を有する、第３のレールと、
前記第１のレールと前記第２のレールとの間に配置される第１の摺動補助装置であって、該第１の摺動補助装置は第１の機能部を有する、第１の摺動補助装置と、
前記第２のレールと前記第３のレールとの間に配置される第２の摺動補助装置であって、該第２の摺動補助装置は第２の機能部を有する、第２の摺動補助装置と、
前記第２のレールに配置される第１のギアであって、該第１のギアは前記第１の摺動補助装置の第１の機能部と前記第２の摺動補助装置の第２の機能部との間で噛合するように構成されている、第１のギアと、
前記第２の摺動補助装置に配置される第２のギアであって、該第２のギアは前記第２のレールの第１の機能部材と前記第３のレールの第２の機能部材との間で噛合するように構成されている、第２のギアと、
を含むスライドレールアセンブリであって、
前記第１のギアはシャフトを介して前記第２のレールに対して回転可能であり、前記第２のギアは別のシャフトを介して前記第２の摺動補助装置に対して回転可能である、スライドレールアセンブリ。
【請求項２】
前記第１の摺動補助装置は複数の回転部材を含み、前記第１の摺動補助装置の複数の回転部材はローラー又はボールであり、
前記第２の摺動補助装置は複数の回転部材を含み、前記第２の摺動補助装置の複数の回転部材はローラー又はボールである、請求項１に記載のスライドレールアセンブリ。
【請求項３】
前記第１の摺動補助装置の第１の機能部及び前記第２の摺動補助装置の第２の機能部はラックであり、
前記第２のレールの第１の機能部材及び前記第３のレールの第２の機能部材はラックである、請求項１に記載のスライドレールアセンブリ。
【請求項４】
第１の家具部材及び第２の家具部材を含む家具アセンブリに適用可能であり、
前記第１のレールは前記第１の家具部材に接続され、前記第３のレールは前記第２の家具部材を保持するように構成され、
前記第１の家具部材はキャビネット本体であり、前記第２の家具部材は引き出しである、請求項１に記載のスライドレールアセンブリ。
【請求項５】
前記第１のギアは前記第２のレールの第１の空間内に収容され、前記第２のギアは前記第２の摺動補助装置の第２の空間内に収容される、請求項１に記載のスライドレールアセンブリ。
【請求項６】
第１のレールと、第２のレールと、第３のレールとを含むスライドレールアセンブリであって、該第２のレールは該第１のレールと該第３のレールとの間で可動に取り付けられ、当該スライドレールアセンブリはさらに、
前記第２のレールと前記第３のレールとの間に配置される摺動補助装置と、
前記摺動補助装置に配置されるギアであって、該ギアは前記第２のレールの第１の機能部材と前記第３のレールの第２の機能部材との間で噛合するように構成されている、ギアと、
を含む、スライドレールアセンブリ。
【請求項７】
前記第１のレールと前記第２のレールとの間に配置される別の摺動補助装置と、
前記第２のレールに配置される別のギアであって、該別のギアは前記別の摺動補助装置の第１の機能部と前記摺動補助装置の第２の機能部との間で噛合するように構成されている、別のギアと、
をさらに含む、請求項６に記載のスライドレールアセンブリ。
【請求項８】
前記別の摺動補助装置は複数の回転部材を含み、前記別の摺動補助装置の複数の回転部材はローラー又はボールであり、
前記摺動補助装置は複数の回転部材を含み、前記摺動補助装置の複数の回転部材はローラー又はボールである、請求項７に記載のスライドレールアセンブリ。
【請求項９】
前記別の摺動補助装置の第１の機能部及び前記摺動補助装置の第２の機能部はラックであり、
前記第２のレールの第１の機能部材及び前記第３のレールの第２の機能部材はラックである、請求項７に記載のスライドレールアセンブリ。
【請求項１０】
第１の家具部材及び第２の家具部材を含む家具アセンブリに適用可能であり、
前記第１のレールは前記第１の家具部材に接続され、前記第３のレールは前記第２の家具部材を保持するように構成され、
前記第１の家具部材はキャビネット本体であり、前記第２の家具部材は引き出しである、請求項６に記載のスライドレールアセンブリ。
【発明の詳細な説明】
【技術分野】
【０００１】
本発明はスライドレールアセンブリに関し、より具体的には信頼性が改善されたスライドレールアセンブリに関する。
【背景技術】
【０００２】
特許文献１にはスライドレールアセンブリ及びその摺動補助装置が開示されている。特許文献１の第１の摺動補助装置及び第２の摺動補助装置は、互いに係合する複数の部品により構成される。補助装置の長さは、異なるスライドレールの長さに対応して調節できる。さらに、特許文献１には、第１のレールに対して第２のレール及び第３のレールを動かした場合に、第２のレール及び第３のレールの動きの信頼性をさらに改善されるように、第１の摺動補助装置の第１の噛合部と第２の摺動補助装置の第２の噛合部との間で噛合する同期部材も開示されている。
【先行技術文献】
【特許文献】
【０００３】
【特許文献１】米国特許第９９９３０７７号明細書
【発明の概要】
【発明が解決しようとする課題】
【０００４】
しかしながら、市場の様々な要求のために、異なる関連製品をどのように開発して市場でより多くの選択肢を作り出すことができるかが課題となっている。
【０００５】
本発明は信頼性が改善されたスライドレールアセンブリに関する。
【課題を解決するための手段】
【０００６】
本発明の一態様によれば、スライドレールアセンブリは、第１のレールと、第２のレールと、第３のレールと、第１の摺動補助装置と、第２の摺動補助装置と、第１のギアと、第２のギアとを含む。第２のレールは第１のレールに対して可動である。第２のレールは第１の機能部材（function  member）を有する。第３のレールは第２のレールに対して可動である。第３のレールは第２の機能部材を有する。第１の摺動補助装置は第１のレールと第２のレールとの間に配置される。第１の摺動補助装置は第１の機能部（function  portion）を有する。第２の摺動補助装置は第２のレールと第３のレールとの間に配置される。第２の摺動補助装置は第２の機能部を有する。第１のギアは第２のレールに配置される。第１のギアは第１の摺動補助装置の第１の機能部と第２の摺動補助装置の第２の機能部との間で噛合するように構成されている。第２のギアは第２の摺動補助装置に配置される。第２のギアは第２のレールの第１の機能部材と第３のレールの第２の機能部材との間で噛合するように構成されている。第１のギアはシャフトを介して第２のレールに対して回転可能であり、第２のギアは別のシャフトを介して第２の摺動補助装置に対して回転可能である。
【０００７】
本発明の別の態様によれば、スライドレールアセンブリは第１のレールと、第２のレールと、第３のレールとを含む。第２のレールは第１のレールと第３のレールとの間で可動に取り付けられる。スライドレールアセンブリは摺動補助装置と、ギアとをさらに含む。摺動補助装置は第２のレールと第３のレールとの間に配置される。ギアは摺動補助装置に配置される。ギアは第２のレールの第１の機能部材と第３のレールの第２の機能部材との間で噛合するように構成されている。
【０００８】
様々な図面に図示する下記の好ましい実施形態の詳細な説明を読み終えた後、本発明の上記の目的及び他の目的が当業者に間違いなく明らかになる。
【図面の簡単な説明】
【０００９】
【図１】図１は、本発明の一実施形態に係る、家具アセンブリに適用されたスライドレールアセンブリを示す概略図である。
【図２】図２は、本発明の一実施形態に係る、家具アセンブリに適用されるとともに伸長状態にあるスライドレールアセンブリを示す図である。
【図３】図３は、本発明の一実施形態に係る、引っ込められた状態にあるスライドレールアセンブリを示す図である。
【図４】図４は、本発明の一実施形態に係るスライドレールアセンブリを示す分解図である。
【図５】図５は、図４の領域Ａの拡大図である。
【図６】図６は、本発明の一実施形態に係る、スライドレールアセンブリのスライドレール、第１の摺動補助装置、第２の摺動補助装置、第１のギア、第２のギア及び関連部品を示す分解図である。
【図７】図７は、本発明の一実施形態に係るスライドレールアセンブリを示す断面図である。
【図８】図８は、本発明の一実施形態に係る、引っ込められた状態にあるスライドレールアセンブリを示す図である。
【図９】図９は、本発明の一実施形態に係る、伸長状態にあるスライドレールアセンブリを示す図である。
【発明を実施するための形態】
【００１０】
図１に示すように、本発明の一実施形態に係るスライドレールアセンブリ２０は家具アセンブリに適用可能である。家具アセンブリは、第１の家具部材２２及び少なくとも１つの第２の家具部材２４を含む。本実施形態において、第１の家具部材２２はキャビネット本体であり、少なくとも１つの第２の家具部材２４は複数の引き出しであるが、本発明は係る構成に限定されない。スライドレールアセンブリ２０は第１の家具部材２２と少なくとも１つの第２の家具部材２４のそれぞれとの間に取り付けられる。スライドレールアセンブリ２０はアンダーマウント型の引き出しスライドである。２つのスライドレールアセンブリ２０は少なくとも１つの第２の家具部材２４のそれぞれに対応し、各第２の家具部材２４の底部の２つの側にそれぞれ隣接して取り付けられる。そのため、少なくとも１つの第２の家具部材２４のそれぞれは第１の家具部材２２から容易に引き出すか又は２つのスライドレールアセンブリ２０を介して引っ込めることにより第１の家具部材２２内に容易に押し込むことができる。
【００１１】
図２に示すように、スライドレールアセンブリ２０のそれぞれは、第１のレール２６、第２のレール２８及び第３のレール３０を含む。第２のレール２８は第１のレール２６と第３のレール３０との間で可動に取り付けられ、第１のレール２６に対する第３のレール３０の移動距離を延ばすように構成されている。第１のレール２６は第１の家具部材２２に接続されている。本実施形態では、第１のレール２６はネジにより第１の家具部材２２に固定接続されているが、本発明は係る構成に限定されない。第２のレール２８は第１のレール２６に対して（第１のレール２６）の長手方向に沿って動くことができるとともに、伸長位置に位置できる。第３のレール３０は第２のレール２８に対して長手方向に沿って動くことができるとともに、伸長位置に位置することができ、第３のレール３０は少なくとも１つの第２の家具部材２４を保持するように構成されている。図２によれば、図２のスライドレールアセンブリ２０は伸長状態にある。
【００１２】
図３に示すように、図３のスライドレールアセンブリ２０は引っ込められた状態にある。具体的には、第２のレール２８は第１のレール２６に対して引っ込められ、第３のレール３０は第２のレール２８に対して引っ込められている。
【００１３】
図４、図５及び図６に示すように、スライドレールアセンブリ２０は第１の摺動補助装置３２及び第２の摺動補助装置３４をさらに含む。具体的には、第１の摺動補助装置３２は第１のレール２６と第２のレール２８との間に配置されるとともに、第２のレール２８が第１のレール２６に対して動かされた場合に第１のレール２６と第２のレール２８との間の滑らかさを促進するように構成されている。他方、第２の摺動補助装置３４は第２のレール２８と第３のレール３０との間に配置されるとともに、第３のレール３０が第２のレール２８に対して動かされた場合に第２のレール２８と第３のレール３０との間の滑らかさを促進するように構成されている。
【００１４】
第１の摺動補助装置３２は複数の回転部材３２ａを含むことが好ましい。第１の摺動補助装置３２の複数の回転部材３２ａはローラー又はボールである。他方、第２の摺動補助装置３４は複数の回転部材３４ａを含む。第２の摺動補助装置３４の複数の回転部材３４ａはローラー又はボールである。
【００１５】
第１の摺動補助装置３２及び第２の摺動補助装置３４はそれぞれ縦方向の長さ（longitudinal  length）を有することが好ましい。（図６に示すように）第１の機能部３２ｂが第１の摺動補助装置３２に配置され、第２の機能部３４ｂが第２の摺動補助装置３４に配置される。本実施形態では、第１の機能部３２ｂは第１の摺動補助装置３２に固定配置され、第２の機能部３４ｂは第２の摺動補助装置３４に固定配置されている。
【００１６】
さらに、スライドレールアセンブリ２０は（図６に示すように）第１のギア３６をさらに含む。第１のギア３６は第２のレール２８に配置される。第１のギア３６は第１の摺動補助装置３２の第１の機能部３２ｂと第２の摺動補助装置３４の第２の機能部３４ｂとの間で噛合するように構成されている。本実施形態では、第１のギア３６は回転可能に取り付けベース３３に接続され、取り付けベース３３は第２のレール２８の第１の空間３５内に収容されるが、本発明はこのような構成に限定されない。例えば、本発明の取り付けベース３３は省略でき、第１のギア３６がシャフトを介して第２のレール２８に枢結される。そのため、第１のギア３６は第２のレール２８に対して回転可能である。第１の摺動補助装置３２の第１の機能部３２ｂ及び第２の摺動補助装置３４の第２の機能部３４ｂは、長手方向に沿って配置されるラックであることが好ましい。
【００１７】
さらに、（図４に示すように）第１の機能部材２８ａが第２のレール２８に配置され、第２の機能部材３０ａが第３のレール３０に配置されることが好ましい。第２のレール２８の第１の機能部材２８ａ及び第３のレール３０の第２の機能部材３０ａは長手方向に沿って配置されるラックであることが好ましい。本実施形態では、第１の機能部材２８ａは第２のレール２８に固定配置され、第２のレール２８の一部として見なすことができる。第２の機能部材３０ａは第３のレール３０に固定配置され、第３のレール３０の一部として見なすことができる。さらに、スライドレールアセンブリ２０は第２の摺動補助装置３４に設けられる第２のギア３８をさらに含む。第２のギア３８は第２のレール２８の第１の機能部材２８ａと第３のレール３０の第２の機能部材３０ａとの間で噛合するように構成されている。本実施形態では、（図６に示すように）第２のギア３８は第２の摺動補助装置３４に回転可能に接続され、第２の摺動補助装置３４の第２の空間３９内に収容される。例えば、第２のギア３８はシャフトを介して第２の摺動補助装置３４に枢結できる。そのため、第２のギア３８は第２の摺動補助装置３４に対して回転可能である。
【００１８】
図７に示すように、スライドレールアセンブリ２０は第１のレール２６、第２のレール２８、第３のレール３０、第１の摺動補助装置３２及び第２の摺動補助装置３４を含む。第２のレール２８の第１のギア３６は第１の摺動補助装置３２の第１の機能部３２ｂと第２の摺動補助装置３４の第２の機能部３４ｂとの間で噛合する。他方、第２の摺動補助装置３４の第２のギア３８は第２のレール２８の第１の機能部材２８ａと第３のレール３０の第２の機能部材３０ａとの間で噛合する。
【００１９】
図８に示すように、図８のスライドレールアセンブリ２０は引っ込められた状態にある。第１のギア３６はシャフト４０を介して第２のレール２８に対して回転可能である。第２のギア３８は別のシャフト４２を介して第２の摺動補助装置３４に対して回転可能である。即ち、第１のギア３６及び第２のギア３８は別々のシャフトを介して回転できる。
【００２０】
図９に示すように、第３のレール３０を伸長させるために開方向Ｄに沿って動かすと、第２の摺動補助装置３４の第２のギア３８は、第２のレール２８及び第３のレール３０の動きの信頼性及び安定性を改善するために第１の機能部材２８ａと第２の機能部材３０ａとの間で噛合する。さらに、第２のレール２８及び第３のレール３０の誤った動きを防止するために、第２のレール２８及び第３のレール３０を同期的に動かすことができる。他方、第２のレール２８の第１のギア３６は第１の摺動補助装置３２及び第２の摺動補助装置３４の動きの信頼性及び安定性を改善するために第１の機能部３２ｂと第２の機能部３４ｂとの間で噛合する。さらに、第１の摺動補助装置３２及び第２の摺動補助装置３４の誤った動きを防止するために第１の摺動補助装置３２及び第２の摺動補助装置３４を同期的に動かすことができる。
【００２１】
同様に、第３のレール３０を引っ込めるために開方向Ｄと反対方向（例えば引っ込め方向）に沿って動かすと、第２のギア３８は、第２のレール２８及び第３のレール３０の誤った動きを防止するために第１の機能部材２８ａと第２の機能部材３０ａとの間で噛合する。他方、第１のギア３６は、第１の摺動補助装置３２及び第２の摺動補助装置３４の誤った動きを防止するために第１の機能部３２ｂと第２の機能部３４ｂとの間で噛合する。
【００２２】
上記の構成によれば、第３のレール３０が引っ込められるか又は伸長された場合、本実施形態は第２のレール２８、第３のレール３０、第１の摺動補助装置３２及び第２の摺動補助装置３４がお互いに対して誤った動きをするのを防止できる。例えば、これらの構成要素の動きが遅れたり早まったりすることを防止できる。
【００２３】
先行技術と比較して、本実施形態のスライドレールアセンブリ２０は下記の面で先行技術に対して利点を有する。
【００２４】
１）互いにシャフトが異なる２つのギア３６、３８により、２つのスライドレール（例えば第２のレール２８及び第３のレール３０）及び２つの摺動補助装置（例えば第１の摺動補助装置３２及び第２の摺動補助装置３４）の動きの信頼性及び安定性が改善される。
【００２５】
２）第１のギア３６及び第２のギア３８は離れており且つ回転するためのシャフトが互いに異なるため、市場のユニークな要求を満たすことができる。第１のギア３６は第２のレール２８に配置され、第２のギア３８は第２の摺動補助装置３４に配置される。第１のギア３６は第１の摺動補助装置３２の第１の機能部３２ｂ及び第２の摺動補助装置３４の第２の機能部３４ｂと協働できる。第２のギア３８は第２のレール２８の第１の機能部材２８ａ及び第３のレール３０の第２の機能部材３０ａと協働できる。上記の構成によれば、第２のレール２８、第３のレール３０、第１の摺動補助装置３２及び第２の摺動補助装置３４はお互いに対して誤って動くのが防止される。
【００２６】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００２７】
２０  スライドレールアセンブリ
２２  第１の家具部材
２４  第２の家具部材
２６  第１のレール
２８  第２のレール
２８ａ  第１の機能部材
３０  第３のレール
３２  第１の摺動補助装置
３２ａ  回転部材
３２ｂ  第１の機能部
３４  第２の摺動補助装置
３４ａ  回転部材
３４ｂ  第２の機能部
３６  第１のギア
３８  第２のギア
４０  シャフト
４２  別のシャフト
【図１】
2020179142.tif 000003
【図２】
2020179142.tif 000004
【図３】
2020179142.tif 000005
【図４】
2020179142.tif 000006
【図５】
2020179142.tif 000007
【図６】
2020179142.tif 000008
【図７】
2020179142.tif 000009
【図８】
2020179142.tif 000010
【図９】
2020179142.tif 000011